(57)【要約】【課題】仮設ポールに対し滑って回転することがない仮設配電ボックスの取付具を提供する。【解決手段】取付具は、周方向に分割されて回動可能に連結された２つの半周状の第１分割体１１及び第１分割体１２を含む、仮設ポール１を抱持するための抱持部材１０と、抱持部材１０を仮設ポール１に締め付けるための締付部材１５と、抱持部材１０に結合された、仮設配電ボックス２を取り付けるための取付部材３０とを含む。第１分割体１１は、周方向に並んで隣と鈍角をなす３〜１０（図示例は６）の平らな内面１３を有する。【選択図】図３
0003235525.tif 000002
【実用新案登録請求の範囲】
【請求項１】
周方向に分割された複数の分割体を含む、仮設ポールを抱持するための抱持部材と、
抱持部材に結合された、仮設配電ボックスを取り付けるための取付部材とを含む仮設配電ボックスの取付具において、
少なくともいずれか１つの分割体は、周方向に並んで隣と鈍角をなす複数の平らな内面を有することを特徴とする仮設配電ボックスの取付具。
【請求項２】
周方向に分割されて回動可能に連結された２つの半周状の分割体を含む、仮設ポールを抱持するための抱持部材と、
抱持部材に結合された、仮設配電ボックスを取り付けるための取付部材とを含む仮設配電ボックスの取付具において、
少なくともいずれか１つの分割体は、周方向に並んで隣と鈍角をなす３〜１０の平らな内面を有することを特徴とする仮設配電ボックスの取付具。
【請求項３】
抱持部材を仮設ポールに締め付けるための締付部材を含む請求項１又は２記載の仮設配電ボックスの取付具。
【請求項４】
締付部材は、互いに係合しうる係合体及び被係合体とこれらを変位させるレバーとを含む請求項３記載の仮設配電ボックスの取付具。
【考案の詳細な説明】
【技術分野】
【０００１】
本考案は、工事現場、祭り会場等の短期間の給電が必要な場所に立てる仮設ポールに対して、仮設配電ボックスを取り付けるための取付具に関するものである。
【背景技術】
【０００２】
従来、既設電柱の付近に立てた仮設ポールに、柱状トランスから電気を取り込む仮設配電ボックスを着脱可能に取り付けるには、仮設ポールを抱持するための二つの半円環状のバンド片と、一方のバンド片に溶接された横長短冊板とを含む取付具を使用している。しかし、両バンド片の両端どうしをボルト及びナットの締め付けで止めていたため、着脱作業にかなりの手間と時間がかかり、締め付けが不十分だと仮設配電ボックスが不安定な状態に取り付き、使用中に傾いたりずり落ちたりするおそれがあった。
【０００３】
そこで、本考案者は、先に、仮設ポールを抱持するための二つの半円環状のバンド片の、一端部どうしを互いに回動可能に結合し、他端部を互いに開閉可能に結合し、一方のバンド片に取付板を固定した取付具を発明した（特許文献１）。この取付具により、仮設配電ボックスを安定した状態に取り付けることができ、着脱をワンタッチで簡単かつ短時間に行うことができるようになった。
【先行技術文献】
【特許文献】
【０００４】
【特許文献１】特開平６−６９１４号公報
【考案の概要】
【考案が解決しようとする課題】
【０００５】
しかし、特許文献１の取付具であっても、仮設ポールに対してこれを抱持した半円環状のバンド片が滑って回転することがあった。
【０００６】
そこで、本考案の目的は、仮設ポールに対し滑って回転することがない仮設配電ボックスの取付具を提供することにある。
【課題を解決するための手段】
【０００７】
（１）周方向に分割された複数の分割体を含む、仮設ポールを抱持するための抱持部材と、
抱持部材に結合された、仮設配電ボックスを取り付けるための取付部材とを含む仮設配電ボックスの取付具において、
少なくともいずれか１つの分割体は、周方向に並んで隣と鈍角をなす複数の平らな内面を有することを特徴とする仮設配電ボックスの取付具。
【０００８】
ここで、分割体の数は、複数であれば特に限定されないが、２〜４が好ましく、２が最も好ましい。
１つの分割体が有する平らな内面の数は、複数であれば特に限定されないが、３〜１０が好ましい。
【０００９】
（２）周方向に分割されて回動可能に連結された２つの半周状の分割体を含む、仮設ポールを抱持するための抱持部材と、
抱持部材に結合された、仮設配電ボックスを取り付けるための取付部材とを含む仮設配電ボックスの取付具において、
少なくともいずれか１つの分割体は、周方向に並んで隣と鈍角をなす３〜１０の平らな内面を有することを特徴とする仮設配電ボックスの取付具。
【００１０】
上記（１）又は（２）において、抱持部材を仮設ポールに締め付けるための締付部材を含むことが好ましい。
【００１１】
［作用］
分割体の複数の平らな内面は、仮設ポールに線状に接触するため、集中した強い圧力で当接する。
【考案の効果】
【００１２】
本考案の仮設配電ボックスの取付具によれば、仮設ポールに対し滑って回転することがないという優れた効果を奏する。
【図面の簡単な説明】
【００１３】
【図１】図１は実施例の取付具の抱持部材を開いたときの斜視図である。
【図２】図２は同取付具の係合体を被係合体に係合したときの斜視図である。
【図３】図３は同取付具の抱持部材を仮設ポールに締め付けたときの斜視図である。
【図４】図４は図３の横断面図である。
【図５】図５は図３を仮設配電ボックスの正面側から見た斜視図である。
【図６】図６は図５を既設電柱を含めて見た概略図である。
【考案を実施するための形態】
【００１４】
１．抱持部材
複数の分割体の全てが前記複数の平らな内面を有する分割体であってもよいし、複数の分割体の一部が前記複数の平らな内面を有する分割体で、残部が前記複数の平らな内面を有しない分割体であってもよい。
前記複数の平らな内面を有する分割体としては、特に限定されないが、平らな金属板が縦線で折曲されてなるものを例示できる。
前記複数の平らな内面を有しない分割体としては、特に限定されないが、金属板が部分円筒状に湾曲されてなるものを例示できる。
【００１５】
２．取付部材
取付部材としては、特に限定されないが、板に取付孔が形成されたもの、フックを使用するもの等を例示できる。
【００１６】
３．締付部材
締付部材としては、特に限定されないが、ねじで締め付けるもの、互いに係合しうる係合体及び被係合体とこれらを変位させるレバーとを含むもの等を例示できる。後者はワンタッチで締め付けられる点で好ましい。
【実施例】
【００１７】
本考案の実施例について図１〜図６を参照して説明する。なお、実施例の各部の構造、材料、形状及び寸法は例示であり、考案の要旨から逸脱しない範囲で適宜変更できる。
【００１８】
本実施例の取付具は、
周方向に分割されて回動可能に連結された２つの半周状の第１分割体１１及び第２分割体１２を含む、仮設ポール１を抱持するための抱持部材１０と、
抱持部材１０を仮設ポール１に締め付けるための締付部材１５と、
抱持部材１０に結合された、仮設配電ボックス２を取り付けるための取付部材３０とを含み構成されている。
【００１９】
第１分割体１１は、平らな金属板が等間隔をおく５つの縦線で（仮設ポールの径に対応するように）折曲されてなるものであり、周方向に並んで隣と鈍角（１５０°）をなす６つの平らな内面１３を有している。第１分割体１１の高さは１００〜２００ｍｍである。
【００２０】
第２分割体１２は、金属板が（仮設ポールの径に対応するように）半円筒状に湾曲されてなるものである。第２分割体１２の高さは３０〜２００ｍｍである。
【００２１】
第１分割体１１の一側縁と第２分割体１２の一側縁とは、蝶番１４により縦軸回りに回動可能に連結されている。
【００２２】
締付部材１５は、第２分割体１２の他側縁付近に台座１６を介して取り付けられたフック状の被係合体１７と、第１分割体１１の他側縁付近にブラケット１９を介して取り付けられた、前記被係合体１７に係脱可能な係合機構２０とからなる。
【００２３】
係合機構２０は、
・基端部がブラケット１９に縦軸により回動可能に軸着され、先端部がつまみとされた第１レバー２１と、
・基端部が第１レバー２１の長さ方向中間部に縦軸により回動可能に軸着された第２レバー２２と、
・第２レバー２２の先端部に設けられた、前記フック状の被係合体１７に係合しうるピン状の係合体２３と
から構成されている。第１レバー２１及び第２レバー２２は、係合体及び被係合体を変位させる。
【００２４】
図１に示すように、第２分割体１２を開いて第１分割体１１と第２分割体１２との間に仮設ポール１を挟み、第１レバー２１を起こすと、第１レバー２１と共に第２レバー２２及び係合体２３が、開いた第２分割体１２の被係合体１７に接近する。
続いて、図２に示すように、係合体２３を被係合体１７に係合させ、第１レバー２１を倒し始めると、第１レバー２１及び第２レバー２２と共に第２分割体１２が引き寄せられる。
続いて、図３に示すように、第１レバー２１を倒し終わると、第２分割体１２がさらに引き寄せられたことにより、第１分割体１１と第２分割体１２が仮設ポール１に締め付けられる。
【００２５】
図４に示すように、締め付けられた第１分割体１１と第２分割体１２の各内面１３は、仮設ポール１に当接する。特に第１分割体１１の６つの平らな内面１３は、それぞれの中央部（図４に丸印で示す）で仮設ポール１に縦に線状に接触するため、集中した強い圧力で当接する。
【００２６】
第１分割体１１のブラケット１９付近には、錠止孔２６を有した錠止片２５が突設されている。第１レバー２１のつまみ付近にはスリット２４が形成されている。第１レバー２１を倒したときに、錠止片２５がスリット２４をくぐり、くぐり抜けた錠止孔２６に錠２７を掛けられるようになっている。
【００２７】
取付部材３０は、金属板が第１分割体１１の外周面に溶接されてなるものである。取付部材３０の複数箇所には取付孔３１が形成され、図３に示すように、色々な寸法の仮設配電ボックス２をねじ３２で取り付けられるようになっている。
【００２８】
以上のように構成された本実施例の取付具は、次のように使用する。
（１）図６に示すように、工事現場、祭り会場等の短期間の給電が必要な場所において、既設電柱６の付近に、長さ５〜７ｍの鉄パイプ製の仮設ポール１を立てる。
（２）図１〜図３に示すように、この仮設ポール１に本実施例の取付具を前述のとおり取り付ける。
（３）図３及び図５に示すように、この取付具の取付部材３０に仮設配電ボックス２をねじ３２で取り付ける。仮設配電ボックス２には、漏電ブレーカ３、安全ブレーカ４、コンセント５等が内蔵されている。
（４）図６に示すように、既設電柱６の柱状トランス７から仮設配電ボックス２に電線８を引き込み、内蔵されたコンセント５から工事等に必要な電源を得る。
（５）給電が不要になったときには、仮設ポール１から仮設配電ボックス２を取り外し、仮設ポール１を撤去する。
【００２９】
以上のように構成された本実施例の取付具によれば、次の作用効果が得られる。
（ア）第１分割体１１の６つの平らな内面１３は、それぞれの中央部で仮設ポール１に線状に接触し、集中した強い圧力で当接するため、取付具が仮設ポール１に対して滑って回転することはない。
（イ）第１レバー２１の操作はワンタッチでできるので、仮設配電ボックス２の着脱作業における手間と時間とを大きく削減できる。
（ウ）一旦取り付けた仮設配電ボックス２の取付位置を上下に変更するときも、第１レバー２１を起こして行えばよいので、簡単である。
（エ）スリット２４をくぐった錠止孔２６に錠２７を掛ければ、仮設配電ボックス２の盗難を防止することができる。
【００３０】
なお、本考案は前記実施例に限定されるものではなく、例えば以下のように、考案の要旨から逸脱しない範囲で適宜変更して具体化することができる。
（１）係合体２３を第２レバー２２に対しばねを介して結合し、被係合体１７に係合した係合体２３を該ばねの弾発力で引き締めるようにすること。
（２）被係合体１７をピン状にし、係合体２３をフック状にすること。
【符号の説明】
【００３１】
１    仮設ポール
２    仮設配電ボックス
１０    抱持部材
１１    第１分割体
１２    第２分割体
１３    内面
１４    蝶番
１５    締付部材
１７    被係合体
２０    係合機構
２１    第１レバー
２２    第２レバー
２３    係合体
２４    スリット
２５    錠止片
２６    錠止孔
２７    錠
３０    取付部材
３１    取付孔
【図１】
0003235525.tif 000003
【図２】
0003235525.tif 000004
【図３】
0003235525.tif 000005
【図４】
0003235525.tif 000006
【図５】
0003235525.tif 000007
【図６】
0003235525.tif 000008